(57)【要約】【課題】ループアンテナ及びＩＣチップを有する光ディスクにおいて、前記ループアンテナによる通信効率を更に向上させる。【解決手段】  光ディスクは、ループアンテナ３と、ループアンテナ３を介して非接触で通信を行うＩＣチップ４とを有する。ループアンテナ３は、光ディスクの中央の穴１０を取り囲むように設けられる。穴１０の周囲を部分的に欠落して周回することで穴１０を不完全に取り囲むように、第１の導電層５が設けられる。第１の導電層５の一端は、ループアンテナ３の一端に接続されている。【選択図】図１
2008034014.tif 000002
【特許請求の範囲】
【請求項１】
ループアンテナと、該ループアンテナを介して非接触で通信を行うＩＣチップとを有する光ディスクであって、
前記ループアンテナは、前記光ディスクの中央の穴を取り囲むように設けられ、
前記穴の周囲を部分的に欠落して周回することで前記穴を不完全に取り囲むように設けられた第１の導電層を、備えたことを特徴とする光ディスク。
【請求項２】
前記第１の導電層が前記ループアンテナに部分的に電気的に接続されたことを特徴とする請求項１記載の光ディスク。
【請求項３】
少なくとも一部が絶縁材料を介して前記第１の導電層の少なくとも一部と重なるとともに前記穴を完全には取り囲まないように設けられた第２の導電層を備え、
前記第２の導電層は、前記ループアンテナの、前記第１の導電層が接続された部分とは異なる部分に、電気的に接続されたことを特徴とする請求項２記載の光ディスク。
【請求項４】
前記第１の導電層と前記ループアンテナとが同一平面上に配置されたことを特徴とする請求項１乃至３のいずれかに記載の光ディスク。
【請求項５】
前記第１の導電層の少なくとも一部が前記ループアンテナと重なることを特徴とする請求項１乃至３のいずれかに記載の光ディスク。
【請求項６】
光学的なデータ読み出しに関与する導電性材料からなる反射層をデータ記録領域に備え、前記第１の導電層は前記反射層から電気的に絶縁されたことを特徴とする請求項１乃至５のいずれかに記載の光ディスク。
【請求項７】
前記第１の導電層の全部又は一部が前記反射層と重なることを特徴とする請求項６記載の光ディスク。
【請求項８】
前記ＩＣチップが、前記第１の導電層が前記穴を不完全に取り囲むときの前記第１の導電層が欠落している箇所付近に配置されたことを特徴とする請求項１乃至７のいずれかに記載の光ディスク。
【請求項９】
前記第１の導電層が導電性を持つ磁性材料で構成されたことを特徴とする請求項１乃至８のいずれかに記載の光ディスク。
【請求項１０】
前記ループアンテナ、前記ＩＣチップ及び前記第１の導電層が設けられた基板を備え、
前記ループアンテナ、前記ＩＣチップ及び前記第１の導電層が設けられた前記基板が、ディスク本体上に貼り付けられるかあるいはディスク本体内に埋設されたことを特徴とする請求項１乃至９のいずれかに記載の光ディスク。
【請求項１１】
前記基板が磁性材料で構成されたことを特徴とする請求項１０記載の光ディスク。
【発明の詳細な説明】
【技術分野】
【０００１】
本発明は、光ディスクに関するものである。
【背景技術】
【０００２】
光ディスクは、光学的に読み取り可能なデータ記録領域を有しており、再生専用型光ディスク、追記型光ディスク及び書き換え可能型光ディスクなどがあり、種々のＣＤや種々のＤＶＤなどの種々のタイプの光ディスクがある。これらの光ディスクでは、データ記録領域には、一般的に、光学的なデータ読み出しに関与する導電性材料からなる反射層（例えば、アミルニウム層）が形成されている。この反射層は、当該光ディスクの中央の穴の周囲を部分的に欠落することなく周回することで前記穴を完全に取り囲むように設けられている。
【０００３】
そして、従来から、このような光ディスクにおいて、ループアンテナと、該ループアンテナを介して非接触で通信を行うＩＣチップとを備えたものが提案されている（下記特許文献１，２，３等）。前記ＩＣチップは、読み出し専用あるいは読み書き可能な不揮発性のメモリを有している。
【０００４】
このようなループアンテナ及びＩＣチップを有する光ディスクは、例えば、特許文献３に開示されているように、次のようなディスク装置と共に用いられる。すなわち、前記ディスク装置では、前記光ディスクのデータ記録領域に対して情報の書き込み及び／又は読み出しを行う本来的な機能の他、データ記録領域に対する情報の書き込み及び／又は読み出しのために前記光ディスクが回転している際に前記光ディスクのＩＣチップのメモリに対して情報の書き込み及び／又は読み出しを行うリーダ及び／又はライタ機能を備えている。そして、このようなディスク装置では、前記リーダ及び／又はライタ機能を実現するため、その静止部には、前記光ディスクのループアンテナとの間で非接触で電磁誘導にて通信を行うループアンテナが設けられている。
【０００５】
特許文献１に開示された光ディスクでは、前記反射層以外には、特別な導電層や磁性層は形成されていない。特許文献３では、そのような特別な導電層や磁性層のみならず、前記反射層についても、何ら言及されていない。
【０００６】
一方、特許文献２に開示された光ディスクでは、特別な磁性層は形成されていないが、前記反射層をちょうど覆うように導電層が形成されており、この導電層は、当該光ディスクの中央の穴の周囲を部分的に欠落することなく周回することで前記穴を完全に取り囲むように設けられている。特許文献２には、この導電層を形成することによって、前記ループアンテナを含んで構成される共振回路のＱ値を高くすることができる旨が記述されている。このＱ値が高くなることは、前記共振回路の損失が低減されて、前記ループアンテナによる通信効率が高まることを意味している。
【特許文献１】特開平１１−８６３４７号公報の図１
【特許文献２】特開２００１−２１００５７号公報
【特許文献３】特開２００５−２０９３２３号公報
【発明の開示】
【発明が解決しようとする課題】
【０００７】
前述したようなループアンテナ及びＩＣチップを有する光ディスクでは、前記ループアンテナによる通信効率の更なる向上が要請されることは、言うまでもない。
【０００８】
本発明は、ループアンテナ及びＩＣチップを有する光ディスクにおいて、前記ループアンテナによる通信効率を更に向上させることができる光ディスクを提供することを目的とする。
【課題を解決するための手段】
【０００９】
前記課題を解決するため、本発明の第１の態様による光ディスクは、ループアンテナと、該ループアンテナを介して非接触で通信を行うＩＣチップとを有する光ディスクであって、前記ループアンテナは、前記光ディスクの中央の穴を取り囲むように設けられ、前記穴の周囲を部分的に欠落して周回することで前記穴を不完全に取り囲むように設けられた第１の導電層を、備えたものである。
【００１０】
本発明者の実験により、この第１の態様のように前記第１の導線層を中央の穴の周囲を部分的に欠落して周回することで前記穴を不完全に取り囲むように設けると、光ディスクの記録層による渦電流損との配分比が変わり、前記第１の導電層を設けない場合に比べて前記ループアンテナを含んで構成される共振回路のＱ値が高くなる場合があるのみならず、前記特許文献２のように前記第１の導電層を中央の穴の周囲を部分的に欠落することなく周回することで前記穴を完全に取り囲むように設ける場合に比べても前記Ｑ値が高くなることが、確認された。これは、前記第１の態様では、中央の穴を部分的に欠落して周回しているので、前記第１の導電層には、前記中央の穴を周回するような渦電流の成分が流れなくなることから渦電流損が低減され、これにより、前記Ｑ値が高くなるものと考えられる。したがって、前記第１の態様によれば、前述した従来技術に比べて、通信効率をより高める設計が可能である。
【００１１】
ところで、光ディスクを例えば先に説明したようなディスク装置に装着すると、ディスク装置を構成する部材をなす金属が光ディスクの近傍に位置することになり、当該金属との間の浮遊容量（不安定な容量）が、前記ループアンテナを含んで構成される共振回路の一部をなすことになる。したがって、前記浮遊容量の寄与率が高ければ、当該共振回路の共振周波数が不安定に比較的大きくずれてしまい、前記ループアンテナによる通信が不安定になってしまうことがある。これに対し、前記第１の態様では、前記第１の導電層によって、前記ループアンテナを含んで構成される共振回路において所定の安定した静電容量が追加的に装荷されることになる。したがって、前記第１の態様によれば、前記浮遊容量の寄与率が低下するので、安定して通信を行う構成が可能である。なお、前記浮遊容量の寄与率を低下させて安定した通信を行うためには、チップ型コンデンサを搭載することが考えられる。しかし、その場合には、チップ型コンデンサによって光ディスクの厚みがかなり厚くなってしまうとともに、チップ型コンデンサによる偏心荷重によって光ディスクの回転バランスが崩れてしまうことがある。これに対し、前記第１の態様では、第１の導電層によって静電容量を装荷するので、光ディスクの厚みはほとんど厚くならないとともに、偏心荷重を低減させるような配置が可能である。
【００１２】
本発明の第２の態様による光ディスクは、前記第１の態様において、前記第１の導電層が前記ループアンテナに部分的に電気的に接続されたものである。
【００１３】
前記第１の導電層の形状や配置等が同じであっても、この第２の態様のように前記第１の導電層をループアンテナに部分的に接続すると、前記第１の導電層をループアンテナに接続しない場合に比べて、前記第１の導電層により装荷される静電容量を大きくできる。したがって、前記第２の態様によれば、前記浮遊容量の寄与率を一層低下させることができ、より安定して通信を行うことができる。
【００１４】
本発明の第３の態様による光ディスクは、前記第２の態様において、少なくとも一部が絶縁材料を介して前記第１の導電層の少なくとも一部と重なるとともに前記穴を完全には取り囲まないように設けられた第２の導電層を備え、前記第２の導電層は、前記ループアンテナの、前記第１の導電層が接続された部分とは異なる部分に、電気的に接続されたものである。
【００１５】
この第３の態様によれば、前記ループアンテナを含んで構成される共振回路において、第１及び第２の導電層間の安定した静電容量が更に追加的に装荷されることになる。したがって、前記第３の態様によれば、前記浮遊容量の寄与率をより一層低下させることができ、より安定して通信を行うことができる。
【００１６】
なお、前記第３の態様では、前記第１の導電層を前記ループアンテナの一端に電気的に接続し、前記第２の導電層を前記ループアンテナの他端に電気的に接続することが好ましいが、必ずしもこれに限定されるものではない。
【００１７】
本発明の第４の態様による光ディスクは、前記第１乃至第３のいずれかの態様において、前記第１の導電層と前記ループアンテナとが同一平面上に配置されたものである。
【００１８】
光ディスクには、いわゆる片面タイプのみならず、いわゆる両面タイプのものがある。両面タイプの光ディスクは、表裏いずれの面のデータ記録領域に対する情報の書き込み及び／又は読み出しも可能であるので、情報の書き込み及び／又は読み出しを行おうとする面に応じて、ディスク装置に対する装着の際の光ディスクの面の向きが変更される。前記第３の態様によれば、前記第１の導電層と前記ループアンテナとが同一平面上に配置されているので、ディスク装置に対する光ディスクの装着の面の向きがいずれの向きであっても、光ディスク装置側のループアンテナに対する、光ディスクの前記ループアンテナ及び前記第１の導電層の相対的な位置はさほど変わらない。したがって、前記第３の態様によれば、当該光ディスクが両面タイプである場合、光ディスク装置に対する光ディスクの装着の面の向きがいずれの向きであっても、前記ループアンテナによる通信感度をほぼ同じにすることができる。
【００１９】
本発明の第５の態様による光ディスクは、前記第１乃至第３のいずれかの態様において、前記第１の導電層の少なくとも一部が前記ループアンテナと重なるものである。この場合、前記第１の導電層の少なくとも一部が前記ループアンテナのほぼ全体と重なることが好ましい。
【００２０】
この第５の態様によれば、前記第１の導電層の少なくとも一部が前記ループアンテナと重なっているので、前記第１の導電層が前記ループアンテナと全く重なっていない場合（例えば、前記第４の態様の場合）に比べて、前記第１の導電層により装荷される静電容量が大きくなる。したがって、前記第５の態様によれば、前記浮遊容量の寄与率を一層低下させることができ、より安定して通信を行うことができる。
【００２１】
本発明の第６の態様による光ディスクは、前記第１乃至第５のいずれかの態様において、光学的なデータ読み出しに関与する導電性材料からなる反射層をデータ記録領域に備え、前記第１の導電層は前記反射層から電気的に絶縁されたものである。
【００２２】
この第６の態様は、導電性材料からなる反射層をデータ記録領域に備えた光ディスクの例を挙げたものであるが、前記第１乃至第５の態様では、必ずしもこれに限定されるものではない。
【００２３】
本発明の第７の態様による光ディスクは、前記第６の態様において、前記第１の導電層の全部又は一部が前記反射層と重なるものである。
【００２４】
この第７の態様は、第１の導電層と反射層との関係の例を挙げたものであるが、前記第６の態様では、前記第１の導電層は前記反射層と全く重ならなくてもよい。
【００２５】
本発明の第８の態様による光ディスクは、前記第１乃至第７のいずれかの態様において、前記ＩＣチップが、前記導電層が前記穴を不完全に取り囲むときの前記導電層が欠落している箇所付近に配置されたものである。
【００２６】
この第８の態様によれば、ＩＣチップが欠落箇所付近に配置されているので、配置の面積効率が良くなる。
【００２７】
本発明の第９の態様による光ディスクは、前記第１乃至第８のいずれかの態様において、前記第１の導電層が導電性を持つ磁性材料で構成されたものである。前記磁性材料として高透磁率磁性材料を用いることが好ましい。導電性を持つ高透磁率磁性材料としては、例えば、パーマロイやケイ素鋼などを挙げることができる。なお、前記第１乃至第８の態様では、前記第１の導電層は銅や銀やアルミニウムなどの非磁性材料で構成してもよい。
【００２８】
この第９の態様によれば、前記第１の導電層が磁性材料で構成されているので、ループアンテナによる通信に伴って発生する磁束を前記導電層によりガイドあるいはシールドさせることができる。したがって、前記第９の態様によれば、例えば、前記反射層等に入る磁束を低減させて渦電流損を低減させ、これにより更に通信効率を高めることが可能となる。
【００２９】
本発明の第１０の態様による光ディスクは、前記第１乃至第９のいずれかの態様において、前記ループアンテナ、前記ＩＣチップ及び前記第１の導電層が設けられた基板を備え、前記ループアンテナ、前記ＩＣチップ及び前記第１の導電層が設けられた前記基板が、ディスク本体上に貼り付けられるかあるいはディスク本体内に埋設されたものである。
【００３０】
この第１０の態様によれば、前記ループアンテナ、前記ＩＣチップ及び前記第１の導電層が設けられた基板を他の要素とは別に用意し、別に用意したディスク本体上にこの基板を貼り付けたり、あるいは、ディスク本体を作製する際にこの基板を埋め込んだりすることで、この光ディスクを製造することができる。したがって、この第１０の態様によれば、前記基板を用いない構造の光ディスクに比べて、容易に製造することができる。
【００３１】
本発明の第１１の態様による光ディスクは、前記第１０の態様において、前記基板が磁性材料で構成されたものである。前記磁性材料は、高周波特性の良い材料であることが好ましい。
【００３２】
この第１１の態様によれば、前記基板が磁性材料で構成されているので、ループアンテナによる通信に伴って発生する磁束を前記基板によりガイド又はシールドさせることができる。したがって、前記第１１の態様によれば、例えば、前記反射層等に入る磁束を低減させて渦電流損を低減させ、これにより更に通信効率を高めることが可能となる。
【００３３】
なお、本発明では、前記第１乃至第９のいずれかの態様において、前記ループアンテナ及び前記ＩＣチップが設けられた基板を備え、前記基板が導電性材料で構成されて前記第１の導電層を兼用し、前記ループアンテナ及び前記ＩＣチップが設けられた前記基板が、ディスク本体上に貼り付けられるかあるいはディスク本体内に埋設されたものであってもよい。
【００３４】
また、本発明では、前記第１０又は第１１の態様において、前記第１の導電層が内周及び外周が中央の穴と同心の真円である円環の一部を欠落させた形状をなすとともに、前記第１の基板が内周及び外周が中央の穴と同心の真円である円環をなす場合に比べて、当該光ディスクの回転バランスが高まるように、前記導電層の形状を前記形状から歪めたり変形させたりずらしたりするか、前記基板の形状を円環から歪めたり変形させたりずらしたりするか、あるいはその両方を行ってもよい。
【発明の効果】
【００３５】
本発明によれば、ループアンテナ及びＩＣチップを有する光ディスクにおいて、前記ループアンテナによる通信効率を更に向上させることができる。
【発明を実施するための最良の形態】
【００３６】
以下、本発明による光ディスクについて、図面を参照して説明する。
【００３７】
［第１の実施の形態］
【００３８】
図１は、本発明の第１の実施の形態による光ディスクを示す概略平面図である。図２（ａ）は図１中のＡ−Ａ’線に沿った概略断面図、図２（ｂ）は図１中のＢ−Ｂ’線に沿った概略断面図である。
【００３９】
本実施の形態による光ディスクは、ディスク本体１と、基板２と、ループアンテナ３と、ＩＣチップ４と、第１の導電層５とを備えている。
【００４０】
ディスク本体１は、例えば、再生専用のＣＤ又はＤＶＤ、ＣＤ−Ｒ、ＣＤ−ＲＷ、ＤＶＤ−Ｒ、ＤＶＤ−ＲＷ、あるいはＤＶＤ−ＲＡＭなどと同様に構成される。図２では、ディスク本体１の構造を大幅に簡略化して示しており、ディスク本体１が、ディスク本体１を構成するポリカーボネート等からなる絶縁性のディスク基板１１と、ディスク基板１１上にアルミニウム等の導電性材料でデータ記録領域に形成され光学的なデータ読み出しに関与する反射層１２と、その上に合成樹脂等の絶縁性材料で形成された保護層１３とを有する例を、示している。
ディスク本体１の中心部には、この光ディスクの中央の穴１０を構成する穴が形成されている。
【００４１】
本実施の形態では、基板２は、ポリイミド等の絶縁性材料で構成されている。基板２はフレキシブル基板であることが好ましいが、リジッド基板でもよい。本実施の形態では、基板２は、ディスク本体１の外径より小さい径を持つ円環形状をなしており、ディスク本体１の保護層１３上に接着剤（図示せず）により接着されている。基板２はディスク本体１と同心に配置され、基板２の中心部には、中央の穴１０を構成する穴が形成されている。
【００４２】
ループアンテナ３は、穴１０を取り囲むように設けられている。本実施の形態では、ループアンテナ３は、渦巻状にされて複数回巻回されているが、これに限定されるものではなく、例えば、１回巻回されるだけでもよい。本実施の形態では、ループアンテナ３は、反射層１２が形成されていない中心側の領域に形成され、反射層１２と重なっていない。ループアンテナ３の一端は、接続パッド６ａを介してＩＣチップ４の一方の端子に接続されている。ループアンテナ３の他端は、ジャンパ線７及び接続パッド６ｂを介してＩＣチップ４の他方の端子に接続されている。
【００４３】
ＩＣチップ４は、ループアンテナ３を介して非接触で通信を行うものであり、図面には示していないが、ＲＦ（無線高周波）回路、変調回路、復調回路、ＣＰＵ、メモリ及び電源回路などを有し、ループアンテナ３を介して供給される電力により作動して、ループアンテナ３を介した通信により前記メモリに対するデータの書き込み及び／又は読み出しが行えるようになっている。ＩＣチップ４としては、例えば、市販のＩＣタグやＲＦＩＤを用いることができる。
【００４４】
第１の導電層５は、穴１０の周囲を部分的に欠落して周回することで穴１０を不完全に取り囲むように設けられている。本実施の形態では、第１の導電層５は、ループアンテナ３の外周側においてループアンテナ３の外周に沿って配置され、穴１０と同心の真円である円環の一部を欠落させた形状を有している。ＩＣチップ４及び接続パッド６ａ，６ｂは、第１の導電層５の欠落箇所に配置されている。したがって、ループアンテナ３、ＩＣチップ４及び第１の導電層５を基板２の同じ面に配置する際に、その配置の面積効率が良くなっている。第１の導電層５の一端は、接続パッド６ａに接続され、接続パッド６ａを介してループアンテナ３の一端に接続されている。第１の導電層５とループアンテナ３との部分的な接続は、必ずしも第１の導電層５一端とループアンテナ３の一端との間の接続に限定されるものではなく、第１の導電層５の途中の箇所とループアンテナ３の一端又は途中の箇所との間を接続してもよいし、第１の導電層５の一端とループアンテナ３の途中の箇所との間を接続してもよい。なお、第１の導電層５は反射層１２から電気的に絶縁されている。
【００４５】
本実施の形態では、ループアンテナ３、接続パッド６ａ，６ｂ及び第１の導電層５は、基板２の上面に、銅、銀又はアルミニウム等の導電性材料のパターンとして形成されている。ＩＣチップ４は、基板２の上面に設けられている。
【００４６】
なお、図面には示していないが、必要に応じて、基板２の上面のループアンテナ３、接続パッド６ａ，６ｂ及び第１の導電層５等は、絶縁性の樹脂等の保護層で覆ってもよい。
【００４７】
ここで、本実施の形態による光ディスクの製造方法の一例について説明する。まず、ループアンテナ３及びＩＣチップ４を有していない通常のＣＤやＤＶＤ等の光ディスクを、ディスク本体１として用意する。一方で、通常の回路基板技術を利用して、ループアンテナ３、ＩＣチップ４、第１の導電層５、接続パッド６ａ，６ｂ及びジャンパ線７が設けられた基板２を、用意する。そして、この基板２をディスク本体１上に接着剤で貼り付ける。これにより、本実施の形態による光ディスクが完成する。本実施の形態では、ディスク本体１を構成する保護層１３上に直接にＩＣチップ４、ループアンテナ３及び第１の導電層５等を設けるのではなく、基板２を用いているので、ディスク本体１とは別に、基板２側を製造しておくことができる。よって、本実施の形態による光ディスクは、基板２を用いない構造の光ディスクに比べて容易に製造することができる。もっとも、本発明による光ディスクは、必ずしもこのような基板２を用いる必要はない。
【００４８】
本発明者は、本実施の形態による光ディスクにおける第１の導電層５の効果を確認するため、以下に説明するような模擬実験を行った。すなわち、市販のＤＶＤに、図１及び図２中のループアンテナ３及びＩＣチップ４に相当するループアンテナ及びＩＣチップを搭載した基板（この基板には、第１の導電層５を形成していない。）を貼り付けた。そして、その状態（「導電層未装着状態」と呼ぶ。）の光ディスクにおいて、ループアンテナを含んで構成される共振回路のＱ値を測定した。
【００４９】
さらに、導電層未装着状態の光ディスクに対して、円環の銅箔から一部を欠落させてＣ字状とした銅箔をループアンテナ３の周囲に貼り付けた。このとき、そのＣ字状銅箔をループアンテナ３から絶縁した状態（「Ｃ字状導電層装着絶縁状態」と呼ぶ。）と、そのＣ字状銅箔の一部をループアンテナ３の一端に電気的に接続した状態（「Ｃ字状導電層装着接続状態」と呼ぶ。）とにした。そして、Ｃ字状導電層装着絶縁状態の光ディスクにおいて、ループアンテナを含んで構成される共振回路のＱ値を測定した。また、Ｃ字状導電層装着接続状態の光ディスクにおいて、ループアンテナを含んで構成される共振回路のＱ値を測定した。
【００５０】
その結果、Ｃ字状導電層装着絶縁状態のＱ値及びＣ字状導電層装着接続状態のＱ値を導電層未装着状態のＱ値より高めることができる構成が可能であることが、実験的にわかった。これは、Ｃ字状導電層絶縁接続状態及びＣ字状導電層装着接続状態では、Ｃ字状銅箔（Ｃ字状導電層）が中央の穴を部分的に欠落して周回しているので、Ｃ字状銅箔層には、前記中央の穴を周回するような渦電流は流れなくなること、及び、光記録層の渦電流損との配分比が変わったことから、渦電流損が低減され、これにより、Ｑ値が高くなるものと考えられる。したがって、本実施の形態によれば、通信効率をより高める構成が可能であることが実験的にわかった。
【００５１】
本実施の形態による光ディスクは、例えば、特許文献３に開示されているようなディスク装置と共に用いられる。すなわち、このディスク装置では、光学ピックアップ等によって光ディスクのデータ記録領域に対して情報の書き込み及び／又は読み出しを行う本来的な機能の他、データ記録領域に対する情報の書き込み及び／又は読み出しのために前記光ディスクが回転している際に前記光ディスクのＩＣチップのメモリに対して情報の書き込み及び／又は読み出しを行うリーダ及び／又はライタ機能を備えている。そして、このようなディスク装置では、前記リーダ及び／又はライタ機能を実現するため、その静止部には、前記光ディスクのループアンテナとの間で非接触で電磁誘導にて通信を行うループアンテナが設けられている。
【００５２】
図面には示していないが、本実施の形態による光ディスクは、このような光ディスク装置に装着されたときに、光ディスク装置のループアンテナが図２中の上側においてループアンテナ３と対向するように、装着される。光学的な読み出し及び／又は書き込みは、図２中の下側から行われる。
【００５３】
本実施の形態による光ディスクを例えばこのようなディスク装置に装着すると、ディスク装置を構成する部材をなす金属が光ディスクの近傍に位置することになり、当該金属との間の浮遊容量（不安定な容量）が、ループアンテナ３を含んで構成される共振回路の一部をなすことになる。したがって、前記浮遊容量の寄与率が高ければ、当該共振回路の共振周波数が不安定に比較的大きくずれてしまい、ループアンテナ３による通信が不安定になってしまう。これに対し、本実施の形態では、第１の導電層５によって、ループアンテナ３を含んで構成される共振回路において所定の安定した静電容量が追加的に装荷されることになる。したがって、前記第１の態様によれば、前記浮遊容量の寄与率が低下するので、安定して通信を行うことができる。なお、前記浮遊容量の寄与率を低下させて安定した通信を行うためには、チップ型コンデンサを搭載することが考えられる。しかし、その場合には、チップ型コンデンサによって光ディスクの厚みがかなり厚くなったり、チップ型コンデンサによる偏心荷重によって光ディスクの回転バランスが崩れてしまうことがある。これに対し、本実施の形態では、第１の導電層５によって静電容量を装荷するので、光ディスクの厚みはほとんど厚くならないとともに、偏心荷重を低減させるような配置が容易である。
【００５４】
第１の導電層５の形状や配置等が同じであっても、本実施の形態のように第１の導電層５をループアンテナ３に部分的に接続すると、第１の導電層５をループアンテナ３に接続しない場合に比べて、第１の導電層５により装荷される静電容量を大きくできる。したがって、本実施の形態によれば、前記浮遊容量の寄与率を一層低下させることができ、より安定して通信を行うことができる。もっとも、本発明では、第１の導電層５とループアンテナ３とは必ずしも電気的に接続する必要はない。
【００５５】
なお、本実施の形態では、第１の導電層５は内周及び外周が中央の穴１０と同心の真円である円環の一部を欠落させた形状をなすとともに、基板２が内周及び外周が中央の穴と同心の真円である円環をなしている。しかしながら、図面には示していないが、光ディスクの回転バランスがより高まるように、第１の導電層５の形状を前記形状から歪めたり変形させたりずらしたりするか、基板２の形状を円環から歪めたり変形させたりずらしたりするか、あるいはその両方を行ってもよい。
【００５６】
本実施の形態では、前述したように、第１の導電層５は銅、銀又はアルミニウム等の非磁性材料で構成され、基板２はポリイミド等の非磁性材料で構成されている。本発明では、その代わりに、第１の導電層５及び基板２のいずれか一方又は両方を磁性材料（好ましくは、高透磁率磁性材料）で構成してもよい。第１の導電層５を構成する導電性磁性材料（特に、高透磁率磁性材料）の例としては、パーマロイなどを挙げることができる。
【００５７】
基板２を磁性材料で構成すると、前述した光ディスク装置のループアンテナ（ループアンテナ３に上側で対向するループアンテナ）からの磁束が基板２によりガイドあるいはシールドされて、反射層１２等に入る磁束が低減される。その結果、反射層１２へ磁束が入ることで生ずる反射層１２の渦電流層が低減し、これにより、更に通信効率を高めることができる。
【００５８】
ところで、本実施の形態による光ディスクは、いわゆる片面タイプとして構成する他、いわゆる両面タイプとして構成してもよい。両面タイプとして構成した場合、光ディスク装置に対していずれの面に情報の書き込み及び／又は読み出しを行うかによって、光ディスクをディスク装置に装着する際に、光ディスクの上下の面が逆にされる。本実施の形態では、第１の導電層５とループアンテナ３とが同一平面上に配置されているので、ディスク装置に対する光ディスクの装着の面の向きがいずれの向きであっても、光ディスク装置側のループアンテナに対する、光ディスクのループアンテナ３及び第１の導電層５の相対的な位置はさほど変わらない。したがって、本実施の形態のようにループアンテナ３及び第１の導電層５を同一平面に配置しておけば、当該光ディスクが両面タイプである場合、光ディスク装置に対する光ディスクの装着の面の向きがいずれの向きであっても、ループアンテナ３による通信感度をほぼ同じにすることができる。
【００５９】
［第２の実施の形態］
【００６０】
図３は本発明の第２の実施の形態による光ディスクを示す断面図であり、図３（ａ）は図２（ａ）に対応し、図３（ｂ）は図２（ｂ）に対応している。図３において、図１及び図２中の要素と同一又は対応する要素には同一符号を付し、その重複する説明は省略する。
【００６１】
本実施の形態が前記第１の実施の形態と基本的に異なる所は、前記第１の実施の形態では、ループアンテナ３、ＩＣチップ４、第１の導電層５、接続パッド６ａ，６ｂ及びジャンパ線７が設けられた基板２が、ディスク本体１上に接着剤で貼り付けられていたのに対し、ループアンテナ３、ＩＣチップ４、第１の導電層５、接続パッド６ａ，６ｂ及びジャンパ線７が設けられた基板２が、ディスク本体１内に埋設されている点のみである。
【００６２】
本実施の形態による光ディスクと製造方法の一例について説明する。まず、保護層１３を形成する直前の状態のディスク本体１を用意する。一方で、通常の回路基板技術を利用して、ループアンテナ３、ＩＣチップ４、第１の導電層５、接続パッド６ａ，６ｂ及びジャンパ線７が設けられた基板２を、用意する。次に、保護層１３を樹脂成形により形成するための型の内部に、保護層１３形成直前のディスク本体１を入れるとともに、ループアンテナ３、ＩＣチップ４、第１の導電層５、接続パッド６ａ，６ｂ及びジャンパ線７が設けられた基板２を、保護層１３形成直前のディスク本体１上にセットする。その後、樹脂成形により保護層１３を形成する。これにより、本実施の形態による光ディスクを製造することができる。
【００６３】
本実施の形態によっても、前記第１の実施の形態と同様の利点が得られる。
【００６４】
［第３の実施の形態］
【００６５】
図４は、本発明の第３の実施の形態による光ディスクを示す概略平面図である。図５は、基板２を下面側から見た概略平面図である。図６（ａ）は図４中のＣ−Ｃ’線に沿った概略断面図、図６（ｂ）は図４中のＤ−Ｄ’線に沿った概略断面図である。図４乃至図６において、図１及び図２中の要素と同一又は対応する要素には同一符号を付し、その重複する説明は省略する。
【００６６】
本実施の形態が前記第１の実施の形態と基本的に異なる所は、前記第１の実施の形態では、第１の導電層５が基板２の上面に形成されているのに対し、本実施の形態では、ループアンテナ３が反射層１２と重なる位置に配置され、第１の導電層５が基板２の下面のほぼ全面に形成され、第１の導電層５がループアンテナ３の大部分と重なっている点のみである。なお、接続パッド６ａと第１の導電層５との周方向の一端付近とは、スルーホール（図示せず）によって電気的に接続されている。もっとも、本発明では、両者は必ずしも電気的に接続する必要はない。なお、図５中のスリット状の領域２ａは、基板２の下面において第１の導電層５が形成されていない領域を示す。
【００６７】
本実施の形態によれば、基本的に前記第１の実施の形態と同様の利点が得られる。
【００６８】
また、本実施の形態によれば、第１の導電層５がループアンテナ３と重なっているので、第１の導電層５がループアンテナ３と全く重なっていない前記第１の実施の形態に比べて、第１の導電層５により装荷される静電容量が大きくなる。したがって、本実施の形態によれば、前記浮遊容量の寄与率を一層低下させることができ、より安定して通信を行うことができる。
【００６９】
本実施の形態においても、前記第１の実施の形態と同じく、第１の導電層５は銅、銀又はアルミニウム等の非磁性材料で構成され、基板２はポリイミド等の非磁性材料で構成されている。本発明では、その代わりに、第１の導電層５及び基板２のいずれか一方又は両方を磁性材料（好ましくは、高透磁率磁性材料）で構成してもよい。磁性材料（特に、高透磁率磁性材料）の例としては、フェライトなどを挙げることができる。
【００７０】
［第４の実施の形態］
【００７１】
図７は、本発明の第４の実施の形態による光ディスクを示す概略平面図である。図８は、図７に示す光ディスクを下面側から見た概略平面図である。図９（ａ）は図４中のＥ−Ｅ’線に沿った概略断面図、図９（ｂ）は図４中のＦ−Ｆ’線に沿った概略断面図である。図７乃至図９において、図１乃至図３中の要素と同一又は対応する要素には同一符号を付し、その重複する説明は省略する。
【００７２】
本実施の形態が前記第２の実施の形態と基本的に異なる所は、基板２が比較的小径に構成されている点と、第１の導電層５がループアンテナ３の内側に配置されている点と、第１の導電層５の全体と重なるように基板２の下面に第２の導電層２５が設けられている点である。本実施の形態では、基板２は絶縁材料で構成されている。基板２を導電材料で構成する場合は、基板２上面に絶縁層を形成し、その上にループアンテナ３や第１の導電層５を形成するとともに、基板２の下面に絶縁層を形成し、その下に第２の導電層２５を形成すればよい。
【００７３】
本実施の形態では、基板２の下面に接続パッド２６ｂが形成され、この接続パッド２６ｂと基板２の上面の接続パッド６ｂとの間がスルーホール（図示せず）によって電気的に接続されることによって、第２の導電層２５がループアンテナ３の他端に電気的に接続されている。本実施の形態においても、第１の導電層５は、ループアンテナ３の一端に電気的に接続されている。
【００７４】
なお、本実施の形態では、第２の導電層２５の全体が第１の導電層５の全体とちょうど重なっているが、第２の導電層２５を設ける場合、第２の導電層２５の少なくとも一部が第１の導電層５の少なくとも一部と重なっていればよい。
【００７５】
本実施の形態によれば、基本的に前記第１及び第２の実施の形態と同様の利点が得られる。
【００７６】
また、本実施の形態によれば、ループアンテナ３を含んで構成される共振回路において、第１及び第２の導電層５，２５間の静電容量（すなわち、安定した静電容量）が更に追加的に装荷されることになる。したがって、本実施の形態によれば、前記浮遊容量の寄与率をより一層低下させることができ、より安定して通信を行うことができる。
【００７７】
以上、本発明の各実施の形態及びその変形例について説明したが、本発明はこれらに限定されるものではない。
【図面の簡単な説明】
【００７８】
【図１】本発明の第１の実施の形態による光ディスクを示す概略平面図である。
【図２】本発明の第１の実施の形態による光ディスクを示す概略断面図である。
【図３】本発明の第２の実施の形態による光ディスクを示す概略断面図である。
【図４】本発明の第３の実施の形態による光ディスクを示す概略平面図である。
【図５】図４中の基板を下側から見た概略平面図である。
【図６】発明の第３の実施の形態による光ディスクを示す概略断面図である。
【図７】本発明の第４の実施の形態による光ディスクを示す概略平面図である。
【図８】本発明の第４の実施の形態による光ディスクを下側から見た概略平面図である。
【図９】発明の第４の実施の形態による光ディスクを示す概略断面図である。
【符号の説明】
【００７９】
１  ディスク本体
２  基板
３  ループアンテナ
４  ＩＣチップ
５  第１の導電層
１０  中央の穴
１２  反射層
２５  第２の導電層
【図１】
2008034014.tif 000003
【図２】
2008034014.tif 000004
【図３】
2008034014.tif 000005
【図４】
2008034014.tif 000006
【図５】
2008034014.tif 000007
【図６】
2008034014.tif 000008
【図７】
2008034014.tif 000009
【図８】
2008034014.tif 000010
【図９】
2008034014.tif 000011